(57)【特許請求の範囲】
【請求項１】
装飾本体部と、前記装飾本体部の上方に位置してドアノブに掛けるための取付け部と、前記装飾本体部の下方に位置して重心バランスを取るためのプレート部とを備えるドアノブ取付け用装飾具であって、
前記装飾本体部には、少なくとも音源材および香料材が含まれており、
前記音源材は、所定の入力手段又は人感センサーによりスイッチがオンとなって音を発生し、メロディが流れる仕組みを備え、
前記装飾本体部の表面は、生地からなり、該生地によって前記音源材および前記香料材が覆われるように構成されてなることを特徴とするドアノブ取付け用装飾具。
【請求項２】
前記入力手段は、前記装飾本体部の所定の箇所に設けられたセンサーに対して、圧力を付与する手段、又はドアを開ける際に絶縁体をスライドさせて導電体を接触させる手段、又はドアを開けて入室する際に室内の照射光のスイッチを入れることで、センサーが光を感知して音を発生させる手段、或いは、外から入室する際の解錠する振動により、センサーが振動を感知して音を発生させる手段である、請求項１記載のドアノブ取付け用装飾具。
【請求項３】
前記音源材が、電子オルゴールチップを含むＩＣチップである、請求項１又は２記載のドアノブ取付け用装飾具。
【請求項４】
前記生地は、前記香料材の存する位置が他の箇所に比べて薄く粗い状態になされている、請求項１〜３の何れかに記載のドアノブ取付け用装飾具。
【請求項５】
前記プレート部は、装飾型の平板状のプレートと、該プレートを前記装飾本体部から接続するための吊り下げ紐とからなり、前記プレートは、暗夜の中で数時間発光するものである、請求項１〜４の何れかに記載のドアノブ取付け用装飾具。
【発明の詳細な説明】
【技術分野】
【０００１】
本発明は、ほのかな香りが漂い、メロディが流れるドアノブ取付け用装飾具（アクセサリー）に関し、詳しくは、軽量で持ち運び易く、人の心地を良くして安らぎを与えることのできる、メロディ音（音楽、音響、音声等を含む）を発するドアノブ取付け用装飾具に関する。
【背景技術】
【０００２】
従来から、ホテル等の宿泊施設や建物の各室のドアノブに掛けて取り付けられ、宿泊者や室内の生活者に安らぎ与えるためのドアノブ取り付け器具や装置が使用されている。
【０００３】
これまでに、例えば、実開平１−６８４７７号公報では、ドアノブまたは扉の把っ手に取り付け取り外しが自由にできる音響発生装置板、またはドアノブの回転若しくは扉の把っ手の操作により音楽、音声、音響を発する前記音響発生装置板が開示されている（特許文献１）。
【０００４】
しかしながら、従来の器具や装置は、単に音が出るだけで、かわいさや装飾感がないものが多く、特に外見上人の心地良くして安らぎを与えるとは言い難いものであった。
【０００５】
このため、従来のものに変わる新規な機能を有する音響発生ドアノブ取付け用器具が望まれていた。
【先行技術文献】
【特許文献】
【０００６】
【特許文献１】実開平１−６８４７７号公報
【発明の概要】
【発明が解決しようとする課題】
【０００７】
本発明は、建物の室内のドアノブに予め掛けておき、室内のスイッチ（光）を入れたり、ドアを開ける等の所定の操作、又は人感センサーによってメロディが鳴り、軽量で持ち運び易く、人の心地を良くして安らぎを与え、外見上も含めて装飾感のあるドアノブ取付け用装飾具を提供することを目的とする。
【課題を解決するための手段】
【０００８】
本発明者は、前記課題を解決するべく鋭意研究した結果、装飾を施した本体の中に音が流れるための材料を含ませるとともに、香りの元も含ませて、一定の手段により音と香りが出るようにした装飾具が前記目的を達成し得ることの知見を得た。
【０００９】
本発明は、前記知見に基づきなされたもので、下記の発明を提供するものである。
１．装飾本体部と、前記装飾本体部の上方に位置してドアノブに掛けるための取付け部と、前記装飾本体部の下方に位置して重心バランスを取るためのプレート部とを備えるドアノブ取付け用装飾具であって、
前記装飾本体部には、少なくとも音源材および香料材が含まれており、
前記音源材は、所定の入力手段又は人感センサーによりスイッチがオンとなって音を発生し、メロディが流れる仕組みを備え、
前記装飾本体部の表面は、生地からなり、該生地によって前記音源材および前記香料材が覆われるように構成されることを特徴とするドアノブ取付け用装飾具。
【００１０】
２．前記入力手段は、前記装飾本体部の所定の箇所に設けられたセンサーに対して、圧力を付与する手段、又はドアを開ける際に絶縁体をスライドさせて導電体を接触させる手段、又はドアを開けて入室する際に室内の照射光のスイッチを入れることで、センサーが光を感知して音を発生させる手段、或いは、外から入室する際の解錠する振動により、センサーが振動を感知して音を発生させる手段である、前記１記載のドアノブ取付け用装飾具。
【００１１】
３．前記音源材が、電子オルゴールチップを含むＩＣチップである、前記１又は２記載のドアノブ取付け用装飾具。
【００１２】
４．前記生地は、前記香料材の存する位置が他の箇所に比べて薄く粗い状態になされている、前記１〜３の何れかに記載のドアノブ取付け用装飾具。
【００１３】
５．前記プレート部は、装飾型の平板状のプレートと、該プレートを前記装飾本体部から接続するための吊り下げ紐とからなり、前記プレートは、暗夜の中で数時間発光するものである、前記１〜４の何れかに記載のドアノブ取付け用装飾具。
【発明の効果】
【００１４】
本発明によれば、建物の室内のドアノブに予め掛けられて使用され、室内のスイッチ（光）を入れたり、ドアを開ける等の所定の操作、又は人感センサーによってメロディが鳴り、軽量で持ち運び易く、人の心地を良くして安らぎを与え、外見上も含めて装飾感のあるドアノブ取付け用装飾具を提供することができる。
また、本発明の装飾具によれば、ホテルのドアノブ入り口に掛け、ゲストが扉を開けると、心地良いメロディが流れ、音のおもてなしができる。扉を開けた際に、ゲストに感動を与えるものである。
【図面の簡単な説明】
【００１５】
【図１】本発明の一実施形態に係るドアノブ取付け用装飾具を示す正面図である。
【図２】（ａ）は、図１のドアノブ取付け用装飾具を円筒錠型ドアノブに取り付けた状態を示す正面図であり、（ｂ）は、図１のドアノブ取付け用装飾具をレバー型ドアノブに取り付けた状態を示す正面図である。
【図３】（ａ）は、図２（ａ）の状態を示す側面図であり、（ｂ）は、図３（ａ）の状態から解錠により振動を付与してメロディが流れる様子を示す概略説明図である。
【図４】図１のドアノブ取付け用装飾具を示す正面写真図である。
【発明を実施するための形態】
【００１６】
以下、本発明について、その好ましい実施形態に基づき図面を参照しつつ詳細に説明する。
本発明の一実施形態に係るドアノブ取付け用装飾具は、図１に示すように、装飾本体部１と、装飾本体部１の上方に位置してドアノブに掛けるための取付け部２と、装飾本体部１の下方に位置して重心バランスを取るためのプレート部３とを備えるドアノブ取付け用装飾具１０である。本実施形態に係る装飾具１０の実物の写真は、図４に示す。
【００１７】
そして、装飾本体部１には、少なくとも音源材４および香料材５が含まれているため、メロディ音を発生させ、香りを付与できる機能を備えている。
【００１８】
音源材４は、装飾本体部１の内部に存在していて外部からは見えないが、所定の入力手段によりスイッチがオンとなって音を発生し、メロディが自動的に流れる仕組みを備えている。この仕組みは、例えば、ホテルの客室等のドアノブに装飾具１０を使用すれば、ウェルカムメロディとして機能する。メロディが流れる時間としては、聴く人の心地良さを害さない程度の時間であれば特に制限はないが、通常１回の流れるメロディにつき数秒〜３０秒間程度である。
【００１９】
本実施形態に係るドアノブ取付け用装飾具１０は、かかる構成を備えているため、軽量で持ち運び易く、人の心地を良くして安らぎを与えることができる。
【００２０】
本ドアノブ取付け用装飾具１０が取り付けられるドアノブとしては、種類を問わず如何なるものにも取り付け可能である。例えば、図２（ａ）に示すように、ドア２０における室内側の円筒錠型ドアノブ２１にドアノブ取付け用装飾具１０を取り付けることができる。また、図２（ｂ）に示すように、ドア３０における室内側のレバー型ドアノブ３１にドアノブ取付け用装飾具１０を取り付けることもできる。
【００２１】
また、引っ掛けることができないようなドアノブに対しては、二本の同じ長さの紐状のものとしてそれらの先端部をマジックテープ（登録商標）等で着脱可能な取付け部とすれば、装飾具１０を引っ掛けることが可能となる。
【００２２】
本実施形態において、メロディが流れるために、音源材４に対してスイッチを入れて音を発生させるための入力手段としては、種々の手段を使用することができ特に制限されない。例えば、装飾本体部１の所定の箇所に設けられたセンサー（図示せず）に対して、光を付与する手段、振動を付与する手段、圧力を付与する手段や、ドアを開ける際に絶縁体をスライドさせて導電体を接触させる手段等が好ましく挙げられる。また、本実施形態においては、メロディが流れるために、音源材４に対してスイッチを入れて音を発生させるために、人が一定の距離まで近づくことで自動入力させる人感センサー（図示せず）を設置する手段も好ましい。これらのセンサーの設置位置に特に制限はないが、装飾本体部１の他の部材に影響を与えない箇所に適宜に設けられる。
【００２３】
音を発生させる入力手段として、光を付与する手段を適用する場合には、例えば、ドアを開けて入室する際に電気（光）を付ける（室内のスイッチを入れる）ことで、センサーが光を感知して音を発生させることができる。この際、ドアが動くことで香料材５による香りの放出も同時にでき、本発明の機能・効果をより発揮できる。
【００２４】
また、音を発生させる入力手段として、振動を付与する手段を適用する場合には、例えば、図３（ａ）に示すドア２０における室内の円筒錠型ドアノブ２１に掛けられた本実施形態のドアノブ取付け用装飾具１０に対して、図３（ｂ）に示すように、外から入室する際の解錠する振動により、センサーが振動を感知して音を発生させることができる。このとき、地震その他の振動で音が発生しないように、センサーが解錠等による一定の振動でのみ音を発生するように制御されていることが好ましい。この場合も、装飾具１０の振動によって香料材５によるある程度の香りの放出もでき、さらにドアを開けることで、本発明の機能・効果をより発揮できる。
【００２５】
また、音を発生させる入力手段として、圧力を付与する手段を適用する場合には、例えば、装飾具１０における何れかの位置にプッシュボタン（タッチセンサー）となるものを設けておき、入室者が自身でプッシュボタンに触れて圧力を付与すれば、センサーが圧力を感知して音を発生させることができる。この場合も、入室者が装飾具１０に触れることによって香料材５による香りの放出もでき、さらにドアを開けることで、本発明の機能・効果をより発揮できる。
【００２６】
また、音を発生させる入力手段として、ドアを開ける際に絶縁体をスライドさせて導電体を接触させる手段を適用することもできる。この場合には、例えば、装飾具１０の内部で導電体からなる電極同士の間に絶縁体を挟むようにしておき、その絶縁体がドアと対向する壁から取れないように設置された状態としておく。そして、入室者がドアを開けることで、装飾具１０内にあった絶縁体が電極同士の間からスライドして抜け出し、電極同士が接触して電流が流れて音を発生させることができる。この場合も、入室者がドアを動かすことで香料材５による香りの放出も同時にでき、本発明の機能・効果をより発揮できる。
【００２７】
音源材４としては、本実施形態に係る装飾具１０に入れられて持ち運びに影響しない、軽くて小さなものが用いられる。例えば、電子オルゴールチップ等のＩＣチップが好ましく挙げられる。このようなチップを使用すれば、多種多様なメロディを格納することができ、心地よい音を奏でることが可能となる。ＩＣチップに多様なメロディを組み入れることで、使用者が好みとする音を選択することができる。このような音源材４としてのＩＣチップとしては、様々な形態のものを用いることができ、例えば、平板のカード状のもの、立体的なもの等が使用可能であり、特に制限されない。
【００２８】
本実施形態に係る装飾具１０に用いられる香料材５としては、強すぎずまた弱すぎない程度のほのかな香りを漂わせるポプリであることが好ましい。本実施形態に係る装飾具１０は、軽量感や見た目が美しくなるように全体的にレース生地が用いられ、特に香料材５が香りを放出し易いように、香料材５が存する位置の生地は他の箇所の生地に比べてより薄く粗い網目状になされている。
【００２９】
本実施形態に係る装飾具１０に用いられるプレート部３としては、例えば、装飾型の平板状のプレート１１と、プレート１１を装飾本体部１から接続するための吊り下げ紐１２とからなり、夜光塗料等で表面処理され暗夜の中で数時間発光するものであることが好ましい。このような暗闇で発光するプレート１１を用いると、３〜４時間ドアのノブが暗闇でも光るため、装飾具１０をドアノブに掛けて置くと、ノブの所在位置を目視可能にすることができる（スポット機能）。これにより、出入口の位置を把握することができる。なお、照射する光の強さにより、プレート１１の発光する強さが異なる。また、周囲の明るさにより、光を確認できる時間が異なる。
【００３０】
装飾型の平板状のプレート１１としては、見た目の一層の心地良さを与え且つ重心の左右バランスの良さから、図１に示すようなハート型のプレートが好ましく用いられる。装飾具１０は全体的に軽量であるため、ドアノブに取り付けた場合に傾きが生じやすく、これを回避するためにプレート部３が設けられており、さらには左右バランスのある形状のプレートを用いることが好ましい。
【００３１】
本実施形態においては、さらに装飾感、可愛らしさを付与するために、図１に示すような付加装飾部６としてのリボンを装飾本体部１に取り付けることができる。
本実施形態の装飾具１０は、持ち運び等の容易さから、全体として軽量であることが好ましく、装飾本体部１および取付け部２それぞれが全体的にシースルーのレース生地繊維からなっている。また、本実施形態の装飾具１０の色彩は、図面には現れないが、全体が薄いピンク色となっている。なお、色彩に制限はないが、より装飾感が現れる色とすることが好ましい。
【００３２】
さらに、本発明のドアノブ取付け用装飾具は、他の実施形態として、装飾本体部１や取付け部２等に光ファイバー又は電球等の発光材を取り付けて、前記の音の発生と同様に、所定の入力手段により発光する機能を設けても良い。このような実施形態の装飾具であれば、音および香りによる聴覚的・嗅覚的な刺激とともに、装飾感と光による視覚的な刺激も与えて、より一層心地良さを提供することが可能となる。また、装飾具１０はその触れた際の軽さと柔らかさ等の豊かな触り心地を感じる（触覚）ことができ、さらにポケット等を設けて飴や菓子を入れ置きし食してもらう（味覚）ようにすれば、人の五感のすべてに訴えることが可能となる。装飾具１０によれば、メロディの流れやほのかな香りが漂うほか、五感でホスピタリティを表現できる。
【００３３】
本発明のドアノブ取付け用装飾具は、その他、お土産品として、ホテル、売店や道の駅その他で使用することもできる。
また、ホテル等の宿泊施設に関しては、客室のドアに掛けられた本発明に係るドアノブ取付け用装飾具を宿泊利用者に持ち帰ってもらい、事業者の場合は装飾具のプレート部に自社の社名又はロゴを入れて宣伝用等に利用することも可能である。
【００３４】
本発明の装飾具は、ドアノブ以外の場所にも取り付けることが可能であり、例えば、取付け部を壁等にピンで止める等して部屋の飾りとしても用いることができる。
【００３５】
本発明の装飾具に人感センサーを用いて発光材も取り付けた場合、災害時に電気が使用できなくなったとき、光で扉を誘導できるようにすれば、安全対策にもなる。
【産業上の利用可能性】
【００３６】
本発明は、建物の室内のドアノブに予め掛けられて使用され、室内のスイッチ（光）を入れたり、ドアを開ける等の所定の操作、又は人感センサーによってメロディが鳴り、軽量で持ち運び易く、人の心地を良くして安らぎを与え、外見上も含めて装飾感のあるドアノブ取付け用装飾具として、産業上の利用可能性を有する。
【符号の説明】
【００３７】
１０…  ドアノブ取付け用装飾具（アクセサリー）
１…  装飾本体部
２…  取付け部
３…  プレート部
１１…  プレート
１２…  吊り下げ紐
４…  音源材（オルゴールＩＣチップ）
５…  香料材（ポプリ）
６…  付加装飾部（リボン）
２０，３０…  ドア
２１…  円筒錠型ドアノブ
３１…  レバー（ハンドル）型ドアノブ
【要約】      （修正有）【課題】ほのかな香りと美しいメロディを奏でて使用者を心地よい気持ちにする、軽量で持ち運び易く、外見上も装飾感のあるドアノブ取付け用装飾具を提供する。【解決手段】ドアノブ取付け用装飾具１０は、装飾本体部１と、装飾本体部１の上方に位置してドアノブに掛けるための取付け部２と、装飾本体部１の下方に位置して重心バランスを取るためのプレート部３とを備え、装飾本体部１には、少なくとも音源材４および香料材５が含まれており、音源材４は、所定の入力手段又は人感センサーによりスイッチがオンとなって音を発生し、メロディが流れる仕組みを備える。【選択図】図１【図１】
0006734461.tif 000002
【図２】
0006734461.tif 000003
【図３】
0006734461.tif 000004
【図４】
0006734461.tif 000005